(57)【要約】【課題】防水性及び防湿性を向上させることができるエレクトロクロミック防眩ミラーを得る。【解決手段】エレクトロクロミック防眩ミラー１０では、ミラー本体１２表面側の全周縁とミラーリム２８の全周との間が接着剤３２で接着されて封止されると共に、ミラー本体１２裏面側の全周縁とミラーリム２８の全周との間が接着剤３４で接着されて封止されている。このため、ミラーリム２８及び接着剤３２、３４によって、サブストレートガラス１４とエレクトロクロミック膜１６との間の全体、エレクトロクロミック膜１６とカバーガラス１８との間の全体、各受給端子２２及び各供給端子２６の全体（各受給端子２２と各供給端子２６との接合部分を含む）を、全て封止することができる。これにより、これら全てを確実に封止でき、防水性及び防湿性を向上させることができる。【選択図】　　　図１
2004004277.tif 000002
【特許請求の範囲】
【請求項１】
表面側に配置された透明部材と、
前記透明部材の裏面側に配置されたエレクトロクロミック膜と、
前記エレクトロクロミック膜の裏面側に配置された保護部材と、
前記エレクトロクロミック膜に接続され、電力を受給することで前記エレクトロクロミック膜が発色される受給端子と、
前記透明部材と前記エレクトロクロミック膜との間、前記エレクトロクロミック膜と前記保護部材との間、及び、前記受給端子の少なくとも１つを封止する接着剤と、
を備えたエレクトロクロミック防眩ミラー。
【請求項２】
周囲に設けられると共に前記接着剤に接着された周囲部材を備え、かつ、前記周囲部材及び前記接着剤によって、前記透明部材と前記エレクトロクロミック膜との間、前記エレクトロクロミック膜と前記保護部材との間、及び、前記受給端子を封止した、ことを特徴とする請求項１記載のエレクトロクロミック防眩ミラー。
【請求項３】
前記受給端子に接合され、前記受給端子に電力を供給する供給端子を備え、かつ、前記受給端子と前記供給端子との接合部分を前記接着剤で封止した、ことを特徴とする請求項１または請求項２記載のエレクトロクロミック防眩ミラー。
【請求項４】
表面側に配置された透明部材と前記透明部材の裏面側に配置されると共に発色可能とされたエレクトロクロミック膜と前記エレクトロクロミック膜の裏面側に設けられた保護部材とを有するミラー本体と、前記ミラー本体の外周に設けられた周囲部材と、を備えたエレクトロクロミック防眩ミラーの組付方法であって、
前記ミラー本体表面側の周縁と前記周囲部材とを接着剤で接着して前記ミラー本体表面側の周縁と前記周囲部材との間を封止する表面封止工程と、
前記ミラー本体裏面側の周縁と前記周囲部材とを接着剤で接着して前記ミラー本体裏面側の周縁と前記周囲部材との間を封止する裏面封止工程と、
を備えたことを特徴とするエレクトロクロミック防眩ミラーの組付方法。
【請求項５】
前記ミラー本体は、前記エレクトロクロミック膜に接続され前記エレクトロクロミック膜に電力を供給することで前記エレクトロクロミック膜が発色される端子を有し、かつ、前記表面封止工程及び前記裏面封止工程の少なくとも一方によって前記端子を封止する、ことを特徴とする請求項４記載のエレクトロクロミック防眩ミラーの組付方法。
【発明の詳細な説明】
【０００１】
【発明の属する技術分野】
本発明は、エレクトロクロミック膜を発色させて反射光の明るさを調整するエレクトロクロミック防眩ミラー及びこのエレクトロクロミック防眩ミラーの組付方法に関する。
【０００２】
【従来の技術】
エレクトロクロミック防眩ミラーは、例えばミラー本体を備えている。ミラー本体は、表面側のサブストレートガラスと、サブストレートガラスの裏面側のエレクトロクロミック膜と、エレクトロクロミック膜の裏面側のカバーガラスと、カバーガラスの裏面側のヒータと、を有している。
【０００３】
ミラー本体の周縁には膜状の受給端子が３つ設けられると共に、ヒータの裏面には板状の供給端子が３つ設けられており、各受給端子は各供給端子に接合されている。各受給端子はエレクトロクロミック膜に接続されており、各供給端子が各受給端子に電力を供給することで、エレクトロクロミック膜が発色されて、反射光の明るさが調整される。
【０００４】
また、ヒータは、カバーガラス及びエレクトロクロミック膜を介してサブストレートガラスを加熱可能とされており、これにより、サブストレートガラスの曇りが除去される。
【０００５】
ここで、サブストレートガラスとエレクトロクロミック膜との間の全体、エレクトロクロミック膜とカバーガラスとの間の全体、各受給端子及び各供給端子（各受給端子と各供給端子との接合部分を含む）の全体は、防水及び防湿が必要とされている。このため、ミラー本体の全周縁にはブチルテープが貼付されており、ブチルテープによってミラー本体の表面の全周縁及び裏面の全周縁（全周面を含む）が被覆されている。これにより、前記防水及び防湿が必要な部位が全て封止されて、ミラー本体の防水及び防湿が図られている。
【０００６】
ミラー本体の全外周には、ブチルテープの外側においてミラーリムが設けられている。ミラーリムは、ミラー本体の全周面のみならずミラー本体表面の全周縁を被覆しており、これにより、ミラー本体表面の全周縁に貼付されたブチルテープのミラーリムによる隠蔽が図られた構成である。
【０００７】
しかしながら、このようなエレクトロクロミック防眩ミラーでは、ブチルテープによってミラー本体の表面の全周縁及び裏面の全周縁（全周面を含む）を被覆するために、ブチルテープを断面Ｕ字状に貼付する必要があるのみならず、ミラー本体の周縁には湾曲部位や凹凸部位がある。
【０００８】
このため、ミラー本体の周縁に貼付したブチルテープに皺が生じてしまうと共に、ブチルテープをミラー本体周縁の一定の位置に貼付することが困難である。これにより、上記防水及び防湿が必要な部位を確実に封止できず、ミラー本体の防水効果及び防湿効果を安定して得ることができないという問題がある。
【０００９】
さらに、上述の如くブチルテープをミラー本体周縁の一定の位置に貼付することが困難であるため、ミラー本体表面の周縁に貼付されたブチルテープがミラーリムからはみ出してしまって、意匠が損なわれる可能性がある。
【００１０】
しかも、ブチルテープをミラー本体周縁に貼付する貼付作業は手作業で行う必要があるのみならず、ブチルテープは両面に粘着剤が塗布されているためブチルテープの貼付作業中にブチルテープが手に貼り付いてしまう。このため、エレクトロクロミック防眩ミラーの組付作業が煩雑であるという問題がある。
【００１１】
【発明が解決しようとする課題】
本発明は上記事実を考慮し、防水性及び防湿性を向上させることができるエレクトロクロミック防眩ミラー及びエレクトロクロミック防眩ミラーの組付方法を得ることが目的である。
【００１２】
【課題を解決するための手段】
請求項１に記載のエレクトロクロミック防眩ミラーは、表面側に配置された透明部材と、前記透明部材の裏面側に配置されたエレクトロクロミック膜と、前記エレクトロクロミック膜の裏面側に配置された保護部材と、前記エレクトロクロミック膜に接続され、電力を受給することで前記エレクトロクロミック膜が発色される受給端子と、前記透明部材と前記エレクトロクロミック膜との間、前記エレクトロクロミック膜と前記保護部材との間、及び、前記受給端子の少なくとも１つを封止する接着剤と、を備えている。
【００１３】
請求項１に記載のエレクトロクロミック防眩ミラーでは、透明部材の裏面側にエレクトロクロミック膜が配置されると共に、エレクトロクロミック膜の裏面側に保護部材が配置されており、エレクトロクロミック膜に接続された受給端子が電力を受給することで、エレクトロクロミック膜が発色されて、反射光の明るさが調整される。
【００１４】
ここで、接着剤によって、透明部材とエレクトロクロミック膜との間、エレクトロクロミック膜と保護部材との間、及び、受給端子の少なくとも１つが封止されている。このため、これらの少なくとも１つを確実に封止でき、防水性及び防湿性を向上させることができる。
【００１５】
請求項２に記載のエレクトロクロミック防眩ミラーは、請求項１に記載のエレクトロクロミック防眩ミラーにおいて、周囲に設けられると共に前記接着剤に接着された周囲部材を備え、かつ、前記周囲部材及び前記接着剤によって、前記透明部材と前記エレクトロクロミック膜との間、前記エレクトロクロミック膜と前記保護部材との間、及び、前記受給端子を封止した、ことを特徴としている。
【００１６】
請求項２に記載のエレクトロクロミック防眩ミラーでは、周囲に設けられた周囲部材が接着剤に接着されており、周囲部材及び接着剤によって、透明部材とエレクトロクロミック膜との間、エレクトロクロミック膜と保護部材との間、及び、受給端子が、全て封止されている。これにより、これらを全て確実に封止でき、防水性及び防湿性を向上させることができる。
【００１７】
請求項３に記載のエレクトロクロミック防眩ミラーは、請求項１または請求項２に記載のエレクトロクロミック防眩ミラーにおいて、前記受給端子に接合され、前記受給端子に電力を供給する供給端子を備え、かつ、前記受給端子と前記供給端子との接合部分を前記接着剤で封止した、ことを特徴としている。
【００１８】
請求項３に記載のエレクトロクロミック防眩ミラーでは、受給端子に接合された供給端子が、受給端子に電力を供給する。ここで、受給端子と供給端子との接合部分が接着剤で封止されているため、この接合部分を確実に封止でき、防水性及び防湿性を向上させることができる。
【００１９】
請求項４に記載のエレクトロクロミック防眩ミラーの組付方法は、表面側に配置された透明部材と前記透明部材の裏面側に配置されると共に発色可能とされたエレクトロクロミック膜と前記エレクトロクロミック膜の裏面側に設けられた保護部材とを有するミラー本体と、前記ミラー本体の外周に設けられた周囲部材と、を備えたエレクトロクロミック防眩ミラーの組付方法であって、前記ミラー本体表面側の周縁と前記周囲部材とを接着剤で接着して前記ミラー本体表面側の周縁と前記周囲部材との間を封止する表面封止工程と、前記ミラー本体裏面側の周縁と前記周囲部材とを接着剤で接着して前記ミラー本体裏面側の周縁と前記周囲部材との間を封止する裏面封止工程と、を備えたことを特徴としている。
【００２０】
請求項４に記載のエレクトロクロミック防眩ミラーの組付方法におけるエレクトロクロミック防眩ミラーでは、ミラー本体において透明部材の裏面側にエレクトロクロミック膜が配置されると共に、エレクトロクロミック膜の裏面側に保護部材が配置されており、エレクトロクロミック膜が発色されることで、反射光の明るさが調整される。また、ミラー本体の外周には、周囲部材が設けられている。
【００２１】
ここで、請求項４に記載のエレクトロクロミック防眩ミラーの組付方法では、表面封止工程で、ミラー本体表面側の周縁と周囲部材とを接着剤で接着して、ミラー本体表面側の周縁と周囲部材との間が封止されると共に、裏面封止工程で、ミラー本体裏面側の周縁と周囲部材とを接着剤で接着して、ミラー本体裏面側の周縁と周囲部材との間が封止される。これにより、接着剤及び周囲部材によって、透明部材とエレクトロクロミック膜との間及びエレクトロクロミック膜と保護部材との間を封止することができる。このため、これらを確実に封止でき、防水性及び防湿性を向上させることができる。
【００２２】
また、表面封止工程及び裏面封止工程は、ミラー本体の周縁と周囲部材とを接着剤で接着する工程であるため、自動化でき、しかもこのため、接着剤が手に付着することを防止することができる。これにより、エレクトロクロミック防眩ミラーの組付作業を容易にすることができる。
【００２３】
さらに、ミラー本体表面側の周縁と周囲部材とを接着すると共にミラー本体裏面側の周縁と周囲部材とを接着することで、透明部材とエレクトロクロミック膜との間及びエレクトロクロミック膜と保護部材との間を封止できるため、これらが接着剤によって被覆される必要がない。このため、これらが接着剤によって被覆されているかを確認する作業が必ずしも必要なく、エレクトロクロミック防眩ミラーの組付作業を一層容易にすることができる。
【００２４】
請求項５に記載のエレクトロクロミック防眩ミラーの組付方法は、請求項４に記載のエレクトロクロミック防眩ミラーの組付方法において、前記ミラー本体は、前記エレクトロクロミック膜に接続され前記エレクトロクロミック膜に電力を供給することで前記エレクトロクロミック膜が発色される端子を有し、かつ、前記表面封止工程及び前記裏面封止工程の少なくとも一方によって前記端子を封止する、ことを特徴としている。
【００２５】
請求項５に記載のエレクトロクロミック防眩ミラーの組付方法におけるエレクトロクロミック防眩ミラーでは、エレクトロクロミック膜に接続された端子がエレクトロクロミック膜に電力を供給することで、エレクトロクロミック膜が発色される。
【００２６】
ここで、請求項５に記載のエレクトロクロミック防眩ミラーの組付方法では、端子が表面封止工程及び裏面封止工程の少なくとも一方によって封止される。これにより、端子を確実に封止でき、防水性及び防湿性を向上させることができる。
【００２７】
【発明の実施の形態】
図１には、本発明の実施の形態に係るエレクトロクロミック防眩ミラー１０の主要部が断面図にて示されており、図２には、エレクトロクロミック防眩ミラー１０が正面図にて示されている。
【００２８】
本実施の形態に係るエレクトロクロミック防眩ミラー１０は、ミラー本体１２を備えている。ミラー本体１２は、表面側に透明部材としてのサブストレートガラス１４を有しており、サブストレートガラス１４は透明平板状とされている。サブストレートガラス１４の裏面側には、膜状のエレクトロクロミック膜１６が設けられており、エレクトロクロミック膜１６は発色可能とされている。エレクトロクロミック膜１６の裏面側には、保護部材としてのカバーガラス１８が設けられており、カバーガラス１８は透明平板状とされている。エレクトロクロミック膜１６の裏面側には膜状のヒータ２０が貼付されており、ヒータ２０は、カバーガラス１８より小面積とされてカバーガラス１８の内側に配置される（図３参照）と共に、発熱可能とされている。
【００２９】
図３にも示す如く、ミラー本体１２（カバーガラス１８）の周縁には、端子としての長尺膜状の受給端子２２が所定数（本実施の形態では、上縁、下縁及び一側縁の３つ）設けられており、各受給端子２２は、サブストレートガラス１４、エレクトロクロミック膜１６及びカバーガラス１８の周縁（サブストレートガラス１４、エレクトロクロミック膜１６及びカバーガラス１８の周面、サブストレートガラス１４表面の周縁及びカバーガラス１８裏面の周縁を含む）を被覆すると共に、エレクトロクロミック膜１６に接続されている。各受給端子２２には、長尺膜状の接合足２４が一体に設けられており、各接合足２４は、ヒータ２０の裏面上まで延伸している。
【００３０】
ヒータ２０の裏面には、端子としての板状の供給端子２６が所定数（本実施の形態では、上部、下部及び一側部の３つ）設けられており、各供給端子２６は各受給端子２２の接合足２４に接合されている。ここで、各供給端子２６が各接合足２４を介して各受給端子２２に電力を供給することで、エレクトロクロミック膜１６が発色されて、反射光の明るさが調整される。
【００３１】
また、ヒータ２０が発熱されることで、カバーガラス１８及びエレクトロクロミック膜１６を介してサブストレートガラス１４が加熱され、これにより、サブストレートガラス１４の曇りが除去される。
【００３２】
ミラー本体１２の全外周には、周囲部材としての筒状のミラーリム２８が設けられている。ミラーリム２８は、断面Ｊ字状とされており、そのミラー本体１２表面側が湾曲部３０とされて内側に湾曲されている。ミラーリム２８は、ミラー本体１２の全周面のみならず、湾曲部３０においてミラー本体１２表面（サブストレートガラス１４表面）の全周縁を被覆しており、サブストレートガラス１４表面の周縁を被覆する各受給端子２２が、湾曲部３０によって隠蔽されている。
【００３３】
ミラーリム２８の湾曲部３０内全周には、シリコン系樹脂とされた接着剤３２が配置されており、この接着剤３２によって、ミラー本体１２表面側（サブストレートガラス１４）の全周縁とミラーリム２８の湾曲部３０全周とが接着されている。これにより、ミラー本体１２表面側の全周縁（各受給端子２２が配置された部分では各受給端子２２よりもミラー本体１２内側の部位）と、ミラーリム２８の全周と、の間が封止されている。
【００３４】
ミラー本体１２裏面側（ヒータ２０またはカバーガラス１８）の全周縁とミラーリム２８の全周とは、上記接着剤３２と同様の接着剤３４によって接着されている。これにより、ミラー本体１２裏面側の全周縁（各受給端子２２が配置された部分では各受給端子２２（各接合足２４や各供給端子２６が配置された部分では各接合足２４及び各供給端子２６）よりもミラー本体１２内側の部位）と、ミラーリム２８の全周と、の間が封止されている。
【００３５】
このように、ミラー本体１２表面側の全周縁とミラーリム２８の全周との間が封止されると共に、ミラー本体１２裏面側の全周縁とミラーリム２８の全周との間が封止されることで、ミラーリム２８及び接着剤３２、３４によって、サブストレートガラス１４とエレクトロクロミック膜１６との間の全体、エレクトロクロミック膜１６とカバーガラス１８との間の全体、各受給端子２２及び各供給端子２６の全体（各受給端子２２の接合足２４と各供給端子２６との接合部分を含む）が、全て封止されている。また、図１に示す如く、本実施の形態では、ミラー本体１２の周面（各受給端子２２を含む）は、必ずしも接着剤３２または接着剤３４によって被覆されていない。
【００３６】
ミラーリム２８内には、ミラー本体１２の裏面側において、略板状のミラーベース３６が爪係合された状態で嵌合されており、ミラーベース３６はミラーリム２８及びミラー本体１２に接着剤３４によって接着されている。ミラーベース３６には収容壁３８が一体に設けられており、収容壁３８は、ミラー本体１２側へ突出してその先端がミラー本体１２の裏面に当接している。これにより、ミラーベース３６（収容壁３８を含む）、ミラーリム２８（湾曲部３０を含む）及びミラー本体１２によって取り囲まれる空間内に、接着剤３２及び接着剤３４（各受給端子２２及び各供給端子２６の全体を含む）が収容された構成である。
【００３７】
次に、本実施の形態の作用を説明する。
【００３８】
以上の構成のエレクトロクロミック防眩ミラー１０では、ミラー本体１２においてサブストレートガラス１４の裏面側にエレクトロクロミック膜１６が配置されると共に、エレクトロクロミック膜１６の裏面側にカバーガラス１８が配置されており、エレクトロクロミック膜１６に接続された各受給端子２２が各供給端子２６から電力を受給することで、エレクトロクロミック膜１６が発色されて、反射光の明るさが調整される。また、ミラー本体１２の全外周にはミラーリム２８が設けられると共に、ミラー本体１２の裏面側にはミラーベース３６が設けられてミラーリム２８内に嵌合されている。
【００３９】
ところで、エレクトロクロミック防眩ミラー１０を組み付ける際には、先ず、図４（Ａ）に示す如く、ミラーリム２８の湾曲部３０内全周に接着剤３２を塗布する（表面封止工程前期）。さらに、図４（Ｂ）に示す如く、ミラーリム２８内にミラー本体１２を組み付けて、ミラー本体１２表面側（サブストレートガラス１４）の全周縁（各受給端子２２を含む）を接着剤３２に接触させると共に、サブストレートガラス１４の表面を湾曲部３０の先端全周に当接させる（表面封止工程後期）。これにより、ミラー本体１２表面側の全周縁（各受給端子２２が配置された部分では各受給端子２２よりもミラー本体１２内側の部位）と、ミラーリム２８の湾曲部３０全周と、を接着して、両者の間を封止する。
【００４０】
次に、図４（Ｃ）に示す如く、ミラー本体１２裏面側（ヒータ２０またはカバーガラス１８）の全周縁とミラーリム２８の全周との間（各受給端子２２及び各供給端子２６を含む）に、接着剤３４を塗布する（裏面封止工程）。これにより、ミラー本体１２裏面側の全周縁（各受給端子２２が配置された部分では各受給端子２２（各接合足２４や各供給端子２６が配置された部分では各接合足２４及び各供給端子２６）よりもミラー本体１２内側の部位）と、ミラーリム２８の全周と、を接着して、両者の間を封止する。
【００４１】
最後に、図４（Ｄ）に示す如く、ミラーリム２８内にミラーベース３６を組み付けて、ミラーベース３６を接着剤３４に接触させると共に、ミラーベース３６の収容壁３８先端をミラー本体１２の裏面に当接させる。これにより、ミラーベース３６をミラーリム２８及びミラー本体１２に接着して、エレクトロクロミック防眩ミラー１０の組付作業が終了する。
【００４２】
ここで、上述の如く、ミラー本体１２表面側の全周縁とミラーリム２８の全周との間が封止されると共に、ミラー本体１２裏面側の全周縁とミラーリム２８の全周との間が封止されるため、ミラーリム２８及び接着剤３２、３４によって、サブストレートガラス１４とエレクトロクロミック膜１６との間の全体、エレクトロクロミック膜１６とカバーガラス１８との間の全体、各受給端子２２及び各供給端子２６の全体（各受給端子２２と各供給端子２６との接合部分を含む）を、全て封止することができる。このため、これら全てを確実に封止でき、防水性及び防湿性を向上させることができる。
【００４３】
さらにこのため、従来の如くブチルテープがミラーリムからはみ出すことがなく、意匠が損なわれることを防止できる。
【００４４】
また、上記表面封止工程及び裏面封止工程は、ミラー本体１２の全周縁とミラーリム２８の全周とを接着剤３２、３４で接着する工程であるため、自動化でき、しかもこのため、接着剤３２、３４が手に付着することを防止することができる。これにより、エレクトロクロミック防眩ミラー１０の組付作業を容易にすることができる。
【００４５】
さらに、ミラー本体１２表面側の全周縁とミラーリム２８の全周とを接着すると共にミラー本体１２裏面側の全周縁とミラーリム２８の全周とを接着することで、本実施の形態の如く、サブストレートガラス１４とエレクトロクロミック膜１６との間の全体、エレクトロクロミック膜１６とカバーガラス１８との間の全体、及び、各受給端子２２の全体が、必ずしも接着剤３２または接着剤３４によって被覆されていない場合でも、これらを封止することができる。このため、これらが接着剤３２または接着剤３４によって被覆されているかを確認する作業（ミラーリム２８及び接着剤３４によって視認が阻止される部位の確認作業）をする必要がなく、エレクトロクロミック防眩ミラー１０の組付作業を一層容易にすることができる。
【００４６】
なお、本実施の形態では、ミラーリム２８及び接着剤３２、３４によって、サブストレートガラス１４とエレクトロクロミック膜１６との間の全体、エレクトロクロミック膜１６とカバーガラス１８との間の全体、各受給端子２２及び各供給端子２６の全体を、全て封止した構成としたが、これら全てを接着剤で被覆して接着剤のみによって封止した構成としてもよい。
【００４７】
さらに、これら全てをミラーベース、ミラーリム及び接着剤によって封止した構成としてもよい。この場合、接着剤でミラー本体表面側の全周縁（端子が配置された部分では端子よりもミラー本体内側の部位）とミラーリムの全周とを接着して、両者の間を封止する。さらに、接着剤でミラーベースの全周とミラーリムの全周縁とを接着して、両者の間を封止すると共に、接着剤でミラー本体裏面側の全周縁（端子が配置された部分では端子よりもミラー本体内側の部位）とミラーベースの全周とを接着して、両者の間を封止する。
【００４８】
また、本実施の形態では、受給端子２２（接合足２４）との接合部分を含む供給端子２６の全体を、接着剤３４のみによって封止した構成としたが、例えば供給端子がミラー本体の周面に配置された場合等には、受給端子（接合足）との接合部分を含む供給端子の全体を、ミラーリム及び接着剤によって、または、ミラーベース、ミラーリム及び接着剤によって封止した構成としてもよい。
【００４９】
さらにまた、本実施の形態では、サブストレートガラス１４を透明平板状とした構成としたが、サブストレートガラス（透明部材）の表面を曲面やアスフェリカル（非球面）とした構成としてもよい。
【００５０】
さらに、本実施の形態では、受給端子２２及び供給端子２６をそれぞれ３つ設けた構成としたが、受給端子（端子）及び供給端子（端子）はそれぞれ２つ以上設けられた構成であればよい。
【００５１】
また、本実施の形態では、シリコン系樹脂の接着剤３２を使用した構成としたが、他のあらゆる接着剤を使用した構成であってもよい。
【００５２】
さらに、本実施の形態では、ミラーベース３６がミラーリム２８に接着剤３４によって接着された構成としたが、ミラーベースがミラーリム（周囲部材）に接着剤によって接着されない構成としてもよい。この場合、ミラーリム内にミラーベースを組み付ける際にミラーベースを接着剤に接触させる必要がない。
【００５３】
また、本実施の形態では、ミラーベース３６の収容壁３８先端をミラー本体１２の裏面に当接させた構成としたが、ミラーベースの収容壁先端をミラー本体の裏面に当接させない構成としてもよい。この場合、ミラーリム内にミラーベースを組み付ける際にミラーベースの収容壁先端をミラー本体の裏面に当接させる必要がない。
【００５４】
【発明の効果】
請求項１に記載のエレクトロクロミック防眩ミラーでは、透明部材とエレクトロクロミック膜との間、エレクトロクロミック膜と保護部材との間、及び、受給端子の少なくとも１つを接着剤により確実に封止できるため、防水性及び防湿性を向上させることができる。
【００５５】
請求項２に記載のエレクトロクロミック防眩ミラーでは、透明部材とエレクトロクロミック膜との間、エレクトロクロミック膜と保護部材との間、及び、受給端子を、全て周囲部材及び接着剤によって封止できるため、防水性及び防湿性を向上させることができる。
【００５６】
請求項３に記載のエレクトロクロミック防眩ミラーでは、受給端子と供給端子との接合部分を接着剤で確実に封止できるため、防水性及び防湿性を向上させることができる。
【００５７】
請求項４に記載のエレクトロクロミック防眩ミラーの組付方法では、透明部材とエレクトロクロミック膜との間及びエレクトロクロミック膜と保護部材との間を接着剤及び周囲部材によって確実に封止できるため、防水性及び防湿性を向上させることができる。また、表面封止工程及び裏面封止工程は自動化できると共に、接着剤が手に付着することを防止できるため、組付作業を容易にできる。さらに、透明部材とエレクトロクロミック膜との間及びエレクトロクロミック膜と保護部材との間の接着剤による被覆の確認作業が必ずしも必要ないため、組付作業を一層容易にできる。
【００５８】
請求項５に記載のエレクトロクロミック防眩ミラーの組付方法では、表面封止工程及び裏面封止工程の少なくとも一方によって端子を確実に封止できるため、防水性及び防湿性を向上させることができる。
【図面の簡単な説明】
【図１】本発明の実施の形態に係るエレクトロクロミック防眩ミラーの主要部を示す断面図である。
【図２】本発明の実施の形態に係るエレクトロクロミック防眩ミラーを示す正面図である。
【図３】本発明の実施の形態に係るエレクトロクロミック防眩ミラーにおけるミラー本体を示す裏面図である。
【図４】（Ａ）乃至（Ｄ）は、本発明の実施の形態に係るエレクトロクロミック防眩ミラーの組付工程を示す断面図であり、（Ａ）は、表面封止工程の前期を示す図であり、（Ｂ）は、表面封止工程の後期を示す図であり、（Ｃ）は、裏面封止工程を示す図であり、（Ｄ）は、ミラーベース組付工程を示す図である。
【符号の説明】
１０　　　　エレクトロクロミック防眩ミラー
１２　　　　ミラー本体
１４　　　　サブストレートガラス（透明部材）
１６　　　　エレクトロクロミック膜
１８　　　　カバーガラス（保護部材）
２２　　　　受給端子（端子）
２６　　　　供給端子（端子）
２８　　　　ミラーリム（周囲部材）
３２　　　　接着剤
３４　　　　接着剤
【図１】
2004004277.tif 000003
【図２】
2004004277.tif 000004
【図３】
2004004277.tif 000005
【図４】
2004004277.tif 000006